(57)【要約】【課題】  排紙されたシートを回収する際に、当該シートを給紙した給紙手段に残留するシートを同時に回収する。【解決手段】    シートを給紙する複数の給紙手段を備える印刷システムであって、印刷されたシートを積載トレイに積載してスタックするスタック手段と、前記積載トレイに積載した前記シートを積載トレイから分離して回収する回収手段と、前記積載トレイに排紙したシートを給紙した給紙手段を特定する情報を印刷ジョブに対応づけて管理する管理手段と、前記回収手段により前記シートを回収する際に、前記特定の情報に基づいて、当該シートを給紙した給紙手段を特定する特定手段と、前記特定手段により特定された給紙手段の引き出し状態を残留するシートを取り出し可能なオープン状態にする制御手段と、を備えることを特徴とする。【選択図】  図１４
2015212028.tif 000002
【特許請求の範囲】
【請求項１】
印刷装置にシートを給紙する給紙装置が複数の給紙トレイを備える印刷システムであって、
いずれかの給紙手段から給紙されて印刷されたシートを積載トレイに積載してスタックするスタック手段と、
前記積載トレイに積載された前記シートを積載トレイから回収する回収手段と、
前記積載トレイに排紙されたシートを給紙した給紙手段を特定する情報を印刷ジョブに対応づけて管理する管理手段と、
前記回収手段によりスタックされたシートを回収する際に、前記特定の情報に基づいて、当該シートを給紙した給紙トレイを特定する特定手段と、
前記特定手段により特定された給紙トレイの状態を残留するシートを取り出し可能なオープン状態にする制御手段と、
を備えることを特徴とする印刷システム。
【請求項２】
印刷装置にシートを給紙する給紙装置が複数の給紙トレイを備える印刷システムであって、
前記シートを排紙する複数の排紙手段と、
いずれかの排紙手段にシートが排紙されることを検出する検出手段と、
いずれかの排紙手段に排紙されるシートを給紙した給紙手段を特定する情報を印刷ジョブに対応づけて管理する管理手段と、
前記排紙手段にシートが排紙されたことを検出した場合、前記特定の情報に基づいて、当該シートを給紙した給紙手段を特定する特定手段と、
前記特定手段により特定された給紙トレイの状態を残留するシートを取り出し可能なオープン状態にする制御手段と、
を備えることを特徴とする印刷システム。
【請求項３】
前記制御手段は、前記給紙装置の背面側から前面側に給紙トレイを押し出すことにより残留するシートを取り出し可能なオープン状態にすることを特徴とする請求項１記載の印刷システム。
【請求項４】
残留するシートを取り出し可能なオープン状態にするか否かを設定する設定手段を備えることを特徴とする請求項１または２記載の印刷システム。
【請求項５】
残留するシートを取り出し可能なオープン状態にするか否かをユーザから受け付ける受付手段を備えることを特徴とする請求項１または２記載の印刷システム。
【請求項６】
各給紙手段は、残留するシートの有無を検出するシート検出手段を備え、
前記制御手段は、いずれかのシート検出手段が残留するシートを検出していない場合、当該シートが残留していない給紙手段についてはシートを取り出し可能なオープン状態にしないように制御することを特徴とする請求項１または２記載の印刷システム。
【請求項７】
前記回収手段に回収の指示を行う指示手段を備え、
前記制御手段は、前記指示手段による回収の指示に基づいて、前記特定手段により特定された給紙手段の引き出し状態を残留するシートを取り出し可能なオープン状態にすることを特徴とする請求項１記載の印刷システム。
【請求項８】
印刷装置にシートを給紙する給紙装置が複数の給紙トレイを備え、さらに、いずれかの給紙手段から給紙されて印刷されたシートを積載トレイに積載してスタックするスタック手段と、前記積載トレイに積載された前記シートを積載トレイから回収する回収手段とを備える印刷システムの制御方法であって、
前記積載トレイに排紙されたシートを給紙した給紙手段を特定する情報を印刷ジョブに対応づけてメモリに登録して管理する管理工程と、
前記回収手段によりスタックされたシートを回収する際に、前記特定の情報に基づいて、当該シートを給紙した給紙トレイを特定する特定工程と、
前記特定工程により特定された給紙トレイの状態を残留するシートを取り出し可能なオープン状態にする制御工程と、
を備えることを特徴とする印刷システムの制御方法。
【請求項９】
印刷装置にシートを給紙する給紙装置が複数の給紙トレイと、前記シートを排紙する複数の排紙手段と、を備える印刷システムの制御方法であって、
いずれかの排紙手段にシートが排紙されることを検出する検出工程と、
いずれかの排紙手段に排紙されるシートを給紙した給紙手段を特定する情報を印刷ジョブに対応づけてメモリに登録して管理する管理工程と、
前記排紙手段にシートが排紙されたことを検出した場合、前記特定の情報に基づいて、当該シートを給紙した給紙手段を特定する特定工程と、
前記特定工程により特定された給紙トレイの状態を残留するシートを取り出し可能なオープン状態にする制御工程と、
を備えることを特徴とする印刷システムの制御方法。
【請求項１０】
請求項８乃至９のいずれか１項に記載の印刷システムの制御方法をコンピュータに実行させることを特徴とするプログラム。
【発明の詳細な説明】
【技術分野】
【０００１】
本発明は、印刷システム、印刷システムの制御方法、及びプログラムに関するものである。
【背景技術】
【０００２】
近年、プロダクションプリント市場などの拡大により、デジタル複写機やデジタル複合機等の画像形成装置を使用して、大量の印刷物を生成する機会が増えている。
【０００３】
デジタル複写機やデジタル複合機を使った印刷装置では、カット紙（Ａ４，ＬＴＲなど一定の大きさに予めカットされたメディア）を用いて印刷物を生成することがある。この場合、オペレータが、印刷物を生成する度に、印刷に必要なカット紙を給紙トレイにセット後、印刷を開始することで印刷物を生成する。通常、カット紙は、数千枚単位の束で取り扱う。そのため、印刷物を生成した後は、カット紙を使い切っている事は非常に少なく、大量のカット紙が残っている状態にある。
【０００４】
プロダクションプリントでは、大量の印刷物を同じ画質で印刷することが重要な要素である。そのため、残ったカット紙は、生成した印刷物と共に回収し、廃棄することが一般的である。また、印刷装置は高価であるため、印刷装置一式をレンタルし大量の印刷物を生成する場合がある。その場合は、レンタルした側が、印刷データとカット紙を持ち込んで印刷装置にて印刷し、生成した印刷物と残ったカット紙を回収することが一般的である。つまり、このように、大量の印刷物を生成する場合には、生成した印刷物と共に、印刷に用いたメディア（カット紙）を回収することが多い。
【先行技術文献】
【特許文献】
【０００５】
【特許文献１】特開２０１１−１９４６６５公報
【特許文献２】特開２００９−２０３０６７公報
【発明の概要】
【発明が解決しようとする課題】
【０００６】
特許文献１の方法は、生成した印刷物の回収に関するものである。特許文献１の方法を用いると、印刷物の取り忘れに関する処理情報を印刷ジョブに付加できる。具体的には、印刷物が５分以内に回収されなかった場合にシュレッダーにかけると言った、印刷物の回収に関する後処理を実施することが可能となる。
【０００７】
特許文献２の方法は、メディアに対するカールを検知した場合、該当メディアを給紙した給紙トレイを通知するものである。特許文献２の方法によれば、オペレータが、カールが発生したメディアを給紙した給紙トレイを特定する必要がなくなるメリットがある。
【０００８】
特許文献１の方法は、印刷物の回収に関する設定を行うことができると言うメリットがあるものの、印刷物の生成に利用したメディアを回収すると言ったことを実行するものではない。また、特許文献２の方法は、カール検知などを利用して特定したメディアが給紙されている給紙トレイを特定すると言うメリットがあるものの、印刷物の回収と同時に、印刷に使ったメディアを同時回収するといったことを実行するものではない。
【０００９】
本発明は、上記の課題を解決するためになされたもので、本発明の目的は、排紙されたシートを回収する際に、当該シートを給紙した給紙手段に残留するシートを同時に回収できる仕組みを提供することである。
【課題を解決するための手段】
【００１０】
上記目的を達成する本発明の印刷システムは以下に示す構成を備える。
印刷装置にシートを給紙する給紙装置が複数の給紙トレイを備える印刷システムであって、いずれかの給紙手段から給紙されて印刷されたシートを積載トレイに積載してスタックするスタック手段と、前記積載トレイに積載された前記シートを積載トレイから回収する回収手段と、前記積載トレイに排紙されたシートを給紙した給紙手段を特定する情報を印刷ジョブに対応づけて管理する管理手段と、前記回収手段によりスタックされたシートを回収する際に、前記特定の情報に基づいて、当該シートを給紙した給紙トレイを特定する特定手段と、前記特定手段により特定された給紙トレイの状態を残留するシートを取り出し可能なオープン状態にする制御手段と、を備えることを特徴とする。
【発明の効果】
【００１１】
本発明によれば、排紙されたシートを回収する際に、当該シートを給紙した給紙手段に残留するシートを同時に回収できる。
【図面の簡単な説明】
【００１２】
【図１】印刷システムの構成について説明する図である。
【図２】図１に示した画像形成装置の構成を示す断面図である。
【図３】図２に示した外部給紙装置の断面図である。
【図４】画像形成装置本体の断面図である。
【図５】画像形成装置のハードウェア構成のブロック図である。
【図６】給紙装置制御部の詳細なブロック図である。
【図７】情報処理装置のハードウェア構成のブロック図である。
【図８】印刷システムのソフトウェア構成のブロック図である。
【図９】システム状況画面を示す図ある。
【図１０】メディア登録画面を示す図である。
【図１１】ジョブスケジューラ画面を示す図である。
【図１２】メディア回収設定画面を示す図ある。
【図１３】ジョブ設定画面を示す図ある。
【図１４】情報処理装置の制御方法を説明するフローチャートである。
【図１５】給紙トレイオープン画面を示す図である。
【図１６】情報処理装置の制御方法を説明するフローチャートである。
【図１７】情報処理装置の制御方法を説明するフローチャートである。
【図１８】給紙トレイオープンの確認画面を示す図である。
【図１９Ａ】情報処理装置の制御方法を説明するフローチャートである。
【図１９Ｂ】情報処理装置の制御方法を説明するフローチャートである。
【図１９Ｃ】情報処理装置の制御方法を説明するフローチャートである。
【発明を実施するための形態】
【００１３】
次に本発明を実施するための最良の形態について図面を参照して説明する。なお、以下の実施の形態は特許請求の範囲に係る発明を限定するものではない。
【００１４】
＜システム構成の説明＞
〔第１実施形態〕
図１は、本実施形態を示す印刷システムの構成について説明する図である。
図１に示す印刷システムは、画像形成装置１０１、情報処理装置１０２、情報処理装置１０３、ネットワーク１０４により構成される。情報処理装置１０３はクライアントであり、オペレータが印刷ジョブ設定などの処理を行い、印刷ジョブを情報処理装置１０２に送信することに利用する。情報処理装置１０２はサーバであり、印刷ジョブの受信、ジョブ管理、およびＲＩＰや面付けなどの処理を行い、画像形成装置１０１を使って印刷を行う役割を担う。１０４はネットワークであり、ネットワーク１０４通じて、画像形成装置１０１、情報処理装置１０２、および情報処理装置１０３は接続されている。
【００１５】
図２は、図１に示した画像形成装置１０１の構成を示す図である。本実施形態に示す画像形成装置１０１は、外部給紙装置２０１、外部給紙装置２０２、画像形成装置本体２０３、大容量スタッカ２０４、フィニッシャ装置２０５により構成される。
【００１６】
図２の（Ａ）において、外部給紙装置２０１および外部給紙装置２０２は、大量の印刷用紙（以下、メディアと表記）を画像形成装置本体２０３に提供するためのものである。画像形成装置本体２０３は印刷装置であり、外部給紙装置２０１、外部給紙装置２０２、および画像形成装置本体２０３に付属の給紙トレイから給紙したメディアに印刷を行う。
【００１７】
大容量スタッカ２０４は、印刷物を大量に溜めておくことができる排紙装置であり、主に外部給紙装置２０１および外部給紙装置２０２を使った大量印刷を溜めておくために利用する。フィニッシャ装置２０５は、少量の印刷物を溜めておいたり、中綴じ処理を施した印刷物を生成したりするのに利用される排紙装置である。
【００１８】
図２の（Ａ）に示す外観図において、ボタン５０１は、スタックイジェクトボタンであり、大容量スタッカのリフトテーブル５０８に積載された印刷メディアを大容量スタッカ２０４から取り出す場合に押下される。スライドドア５０２は、大容量スタッカ２０４の前面カバーである。スライドドア５０２は、通常時は降りた状態になっているが、大容量スタッカ２０４から印刷物を取りだす場合は、上方へスライドする。
【００１９】
また、大容量スタッカ２０４は、エスケープトレイ５０６およびリフトテーブル５０８を含む。ストレートパスは、画像形成装置本体２０３から受取ったメディアを搬送するため搬送路である。排紙フラッパ対は、揺動軸を中心に揺動可能に構成され、メディアの搬送方向を規定する。排紙フラッパ対の上側が、図中反時計回りの方向に揺動している時には、メディアはエスケープパスへ搬送される。また、排紙フラッパ対の下側が、図中時計回りの方向に揺動している時には、メディアはスタックパスへ搬送される。さらに、排紙フラッパ対の上側および下側が揺動していない場合は、メディアはストレートパスへ搬送される。
【００２０】
エスケープパスは、メディアをリフトテーブル５０８にスタックせずに、排出したい場合に用いられる。例えば、サンプルプリント等を行う場合に、エスケープパスからエスケープトレイ５０６にメディアを排出させる。
スタックパスは、リフトテーブル５０８にメディアを搬送するための搬送経路である。例えば、オペレータから大容量スタッカ２０４のスタック部に印刷物を排出するジョブが投入された場合、メディアは、スタックパスを経由して、リフトテーブル５０８へ排紙される。
図２の（Ｂ）において、リフトテーブル５０８は、メディアを積載するためのテーブルである。イジェクトテーブル５０９は、メディアを大容量スタッカ２０４の内部から外部へ移動するためのテーブルである。なお、イジェクトテーブル５０９には、圧力センサ（不図示）が付いており、イジェクトテーブル上にメディアが積載されているか否かを判定することができる。
モータ５１０は、スライドドア５０２を上下に移動可能とするためのモータである。モータ５１０の回転を受けるギア（不図示）とスライドドア５０２は接触している。そのため、モータ５１０の回転を右回転、および左回転に制御することで、スライドドア５０２の上下移動が可能である。
【００２１】
モータ５１１は、リフトテーブル５０８を上下に移動するためのモータである。モータ５１１はリフトテーブル５０８と接続されており、さらに、モータ５１１の回転を受けるギア（不図示）とガイドレール５１３とが接触している。ガイドレール５１３は、リフトテーブル５０８を上下移動する際に利用されるレールであり、垂直に設置されている。そのため、モータ５１１の回転を右回転、および左回転に制御することで、リフトテーブル５０８の上下移動が可能である。さらに、リフトテーブル５０８は、イジェクトテーブル５０９と同じ高さにまで下げることができるようになっている。なお、
【００２２】
モータ５１２は、イジェクトテーブル５０９を大容量スタッカ２０４の内部から外部へ移動するためのモータである。モータ５１２の回転を受けるギア（不図示）とイジェクトテーブル５０９は接触している。そのため、モータ５１２の回転を右回転、および左回転に制御することで、イジェクトテーブル５０９の前後移動が可能である。
ボタン押下検知ユニット５１４は、ボタン５０１が押下されたことを検知する回路基板である。
【００２３】
上面図においては、リフトテーブル５０８とイジェクトテーブル５０９の形状を示している。リフトテーブル５０８とイジェクトテーブル５０９の形状は、お互いの凸部分と凹部分が接触する構造となっている。そのため、リフトテーブル５０８をイジェクトテーブル５０９と同じ高さにまで下げることが可能となっている。
以上から、大容量スタッカ２０４は、リフトテーブル５０８上のメディアを外部に排出する場合は、以下の動作を行う。
【００２４】
まず、モータ５１０の回転を制御することでスライドドア５０２を上方に移動する。次に、モータ５１１を制御することで、リフトテーブル５０８をイジェクトテーブル５０９と同じ高さまで下降する。その結果、リフトテーブル５０８とイジェクトテーブル５０９の形状特性により、リフトテーブル５０８上に積載されていたメディアは、リフトテーブル５０８とイジェクトテーブル５０９の両方に積載されている状態となる。そして、モータ５１２を制御することで、イジェクトテーブル５０９が前面側に移動するため、リフトテーブル５０８に積載されていたメディアが、大容量スタッカ２０４の外部へ排出されることになる。
【００２５】
図３は、図２に示した外部給紙装置２０１と外部給紙装置２０２の断面図である。
図３において、ストレートパス３０７は、給紙トレイ３０１、給紙トレイ３０２、給紙トレイ３０３、および上流側から搬送されてきたメディアを下流側へ搬送するパスである。本実施形態においては、外部給紙装置２０２は、上流側に外部給紙装置２０１、下流側に画像形成装置１０１が配置されている。
そのため、外部給紙装置２０２は、ストレートパス３０７を通じて、給紙トレイ３０１、給紙トレイ３０２、給紙トレイ３０３に入っているメディア、および外部給紙装置２０１から搬送されてきたメディアを画像形成装置本体２０３へ搬送する。
給紙トレイ３０１、給紙トレイ３０２、給紙トレイ３０３は、メディアを給紙するトレイである。リフトアップモータ（不図示）を使って、給紙トレイ下部をリフトアップすることで、給紙されたメディアを給紙モータ３０４、給紙モータ３０５、給紙モータ３０６に接触させることができる。この仕組みにより、メディア量に関係なく給紙を行うことが可能となる。給紙モータ３０４、給紙モータ３０５、給紙モータ３０６は、それぞれ、給紙トレイ３０１、給紙トレイ３０２、給紙トレイ３０３に入っているメディアを１枚単位で引き出すモータである。給紙トレイ３０１、給紙トレイ３０２、給紙トレイ３０３に入っているメディアは、それぞれ、給紙モータ３０４、給紙モータ３０５、給紙モータ３０６により搬送経路に送り出されることで、ストレートパス３０７まで搬送される。
【００２６】
残量センサ３０８、残量センサ３０９、残量センサ３１０は、それぞれ、給紙トレイ３０１、給紙トレイ３０２、給紙トレイ３０３に入っているメディア量を検知するセンサであり、給紙モータと給紙トレイ下部との間の高さを計測するものである。給紙トレイ下部は、メディア残量が少なくなるに従って、リフトアップモータにより給紙モータに近づく。そのため、残留するシート有無を検出するシート検出手段としての残量センサ３０８、残量センサ３０９、残量センサ３１０を使って、給紙トレイ内のメディア量を検知できる。
【００２７】
スプリング３１１、スプリング３１２、スプリング３１３は、それぞれ、給紙トレイ３０１、給紙トレイ３０２、給紙トレイ３０３を背面側から前面側に押し出すためのスプリングである。
各スプリング３１１〜３１２は、給紙トレイがオープンされていない状態（図３のクローズ状態状態）では、圧縮方向の力が加えられている。しかし、この状態では、物理ロック（不図示）がかかっており、後述のトレイロック解除制御対により物理ロックが解除されない限り、スプリング３１１〜３１２の力が解放されないため、給紙トレイはオープン状態とはならない。
【００２８】
トレイロック解除制御対３１４、トレイロック解除制御対３１５、トレイロック解除制御対３１６は、ソレノイド（電磁石）により物理ロック（不図示）を解除し、給紙トレイ３０１、給紙トレイ３０２、給紙トレイ３０３をオープンするためのものである。
簡単に説明すると、トレイロック解除制御対は、留め金かかかっている状態（給紙トレイに物理ロックがかかっている状態）において、ソレノイド（電磁力）により留め金を解除する方向に物理的な力を発生させる。そうすることで、留め金が解除されるため、スプリング３１１〜３１２の力が解放され、給紙トレイをオープンすることができる。ボタン３１７、ボタン３１８、ボタン３１９は、それぞれ、給紙トレイ３０１、給紙トレイ３０２、給紙トレイ３０３をオープンしたい場合に押下するボタンである。
【００２９】
図４は、図２に示した画像形成装置本体２０３の断面図である。
図４において、自動原稿搬送装置（ＡＤＦ）４０１は、原稿トレイの積載面にセットされた原稿束を１頁目の原稿から、ページ順に、順番に分離して、スキャナ４０２によって原稿走査するために原稿台ガラス上へ搬送する。スキャナ４０２は、原稿台ガラス上に搬送された原稿の画像を読み取り、ＣＣＤによって画像データに変換する。
回転多面鏡（ポリゴンミラー等）４０３は、画像データに応じて変調された、例えばレーザ光などの光線を入射させ、反射ミラーを介して反射走査光として感光ドラム４０４に照射する。感光ドラム４０４上に前記レーザ光によって形成された潜像はトナーによって現像され、転写ドラム４０５上に貼り付けられたメディアに対してトナー像を転写する。この一連の画像形成プロセスをイエロー（Ｙ）、マゼンタ（Ｍ）、シアン（Ｃ）、ブラック（Ｋ）のトナーに対して順次実行することによりフルカラー画像が形成される。４回の画像形成プロセスの後に、フルカラー画像形成された転写ドラム４０５上のメディアは、分離爪４０６によって分離され、定着前搬送器４０７によって定着器４０８へ搬送される。
【００３０】
定着器４０８は、ローラやベルトの組み合わせによって構成され、ハロゲンヒータなどの熱源を内蔵し、トナー像が転写されたメディア上のトナーを、熱と圧力によって溶解、定着させる。排紙フラッパ４０９は、揺動軸を中心に揺動可能に構成され、メディアの搬送方向を規定する。排紙フラッパ４０９が図中時計回りの方向に揺動しているときには、メディアは真直ぐに搬送され、排紙ローラ４１０によって機外へ排出される。
【００３１】
一方、メディアの両面に画像を形成する際には、排紙フラッパ４０９が図中反時計回りの方向に揺動し、メディアは下方向に進路を変更され両面搬送部へと送り込まれる。両面搬送部は、反転フラッパ４１１、反転ローラ４１２、反転ガイド４１３および両面トレイ４１４を具備する。反転フラッパ４１１は、揺動軸を中心に揺動可能に構成され、メディアの搬送方向を規定する。両面印刷ジョブを処理する場合は、反転フラッパ４１１を図中反時計回りの方向に揺動させることで、シートの第１面にプリント済みのシートが、反転ローラ４１２を介して、反転ガイド４１３へと送り込まれる。そして、メディア後端が反転ローラ４１２に狭持された状態で反転ローラ４１２を一旦停止させ、引き続き反転フラッパ４１１が図中時計回りの方向に揺動させる。且つ、反転ローラ４１２を逆方向に回転させる。これにより、該シートスイッチバックして搬送させ、シートの後端と先端が入れ替わった状態で、該シートが両面トレイ４１４へと導かれる。
【００３２】
両面トレイ４１４ではメディアを一旦積載し、その後、再給紙ローラ４１５によってメディアは再びレジストローラ４１６へと送り込まれる。このときメディアは、１面目の転写工程とは反対の面が感光ドラムと対向する側になって送られてきている。
そして、上述したプロセスと同様にして該シートの第２面に対して２面目の画像を形成させる。そして、メディアの両面に画像が形成され、定着工程を経て排紙ローラ４１０を介して印刷装置本体内部から機外へと該シートを排出させる。以上のような一連の両面印刷シーケンスを実行することで、両面印刷ジョブのシートの第１面と第２面の各面に対する両面印刷を本印刷装置により実行可能にする。
【００３３】
給紙トレイ４１７は、メディアを給紙するトレイである。リフトアップモータ（不図示）を使って、給紙トレイ下部をリフトアップすることで、給紙されたメディアを給紙モータ４１８に接触させることができる。この仕組みより、メディア量に関係なく給紙を行うことが可能となる。給紙モータ４１８は、給紙トレイ４１７に入っているメディアを１枚単位で引き出すモータである。給紙トレイ４１７に入っているメディアは、給紙モータ４１８により搬送経路に送り出される。
【００３４】
残量センサ４１９は、給紙トレイ４１７に入っているメディア量を検知するセンサであり、給紙モータと給紙トレイ下部との間の高さを計測するものである。給紙トレイ下部は、メディア残量が少なくなるに従って、リフトアップモータにより給紙モータに近づく。そのため、残量センサ４１９を使って、給紙トレイ内のメディア量を検知できる。
【００３５】
スプリング４２０は、給紙トレイ４１７の後方に位置し、給紙トレイ４１７を背面側から前面側に押し出すためのスプリングである。スプリング４２０は、給紙トレイがオープンされていない状態では、圧縮方向の力が加えられている。しかし、この状態では、物理ロック（不図示）がかかっており、後述のトレイロック解除制御対４２１により物理ロックが解除されない限り、スプリング４２０の力が解放されないため、給紙トレイはオープンされない。
【００３６】
トレイロック解除制御対４２１は、ソレノイド（電磁石）により物理ロック（不図示）を解除し、給紙トレイ４１７をオープンするためのものである。簡単に説明すると、トレイロック解除制御対は、留め金かかかっている状態（給紙トレイに物理ロックがかかっている状態）において、ソレノイド（電磁力）により留め金を解除する方向に物理的な力を発生させる。そうすることで、留め金が解除されるため、スプリングの力が解放され、給紙トレイをオープンすることができる。ボタン４２３は、給紙トレイ４１７をオープンしたい場合に押下するボタンである。
【００３７】
給紙トレイ４１７から送り出されたメディアは搬送ガイドの間を案内され、複数の搬送ローラによってレジストローラ４１６まで搬送される。このときレジストローラ４１６は停止しており、メディアの先端がレジストローラ４１６対で形成されるニップ部に突き当たり、メディアがループを形成し斜行が補正される。
その後、画像形成部において感光ドラム４０４上に形成されるトナー像のタイミングに合わせて、レジストローラ４１６は回転を開始してメディアを搬送する。レジストローラ４１６により送られたメディアは、吸着ローラ４２２によって転写ドラム４０５表面に静電気的に吸着される。定着器４０８から排出されたメディアは、排紙ローラ４１０を介して機外に排出される。ネットワークコネクタ４２４は、ネットワーク１０４と接続するための接続部である。たとえば、ネットワーク１０４がイーサネット（登録商標）である場合は、ＲＪ−４５形状の接続部となる。
【００３８】
以上、図３および図４にて、外部給紙装置２０１、外部給紙装置２０２、画像形成装置本体２０３の構成を説明した。ここで、すべての給紙トレイに対して、給紙トレイに入っているメディア量を検知できる点は重要である。メディア量を検知できる仕組みを持つことで、給紙トレイ内部にメディアが入っているか否かを判定できる。具体的には、給紙トレイ内にメディアが入っている状態と、給紙トレイ内にメディアが一枚も入っていない空の状態を区別することができる。
【００３９】
図５は、図１に示した画像形成装置１０１のハードウェア構成のブロック図である。
図５の（Ａ）において、ＣＰＵ回路部７０５はＣＰＵ７０６を有し、ＲＯＭ７０７に格納されているプログラムに従って、次に示す制御部をコントロールする。制御部とは、原稿給送装置制御部７０１、イメージリーダ制御部７０２、画像信号制御部７０３、プリンタ制御部７０４、給紙装置制御部７０９、スタッカ制御部７１０、フィニッシャ制御部７１１、ＨＤＤ  Ｉ／Ｆ部７１２、ネットワークＩ／Ｆ部７１３である。原稿給送装置制御部７０１は自動原稿搬送装置４０１を制御する。イメージリーダ制御部７０２はスキャナ４０２を制御する。プリンタ制御部７０４は感光ドラム４０４、定着器４０８等を制御する。
給紙装置制御部７０９は外部給紙装置２０１、外部給紙装置２０２、画像形成装置本体２０３の給紙トレイを制御する。スタッカ制御部７１０は大容量スタッカ２０４を制御する。フィニッシャ制御部７１１はフィニッシャ装置２０５を制御する。
ＨＤＤ  Ｉ／Ｆ部７１２は、ＨＤＤ７１４とのインタフェースであり、ＨＤＤ７１４に対する書き込みや読み出しを制御する。ネットワークＩ／Ｆ部７１３は、ネットワーク１０４を介したデータの送受信を制御する。ＨＤＤ７１４は、大容量記憶装置であり、不揮発性のデータを保存する領域である。
【００４０】
ＲＡＭ７０８は制御データを一時的に保持する領域や、制御に伴う演算の作業領域として用いられる。ネットワークＩ／Ｆ部７１３は、ネットワーク１０４を介して情報処理装置１０２などと接続されている。
【００４１】
なお、イメージリーダ制御部７０２から画像信号制御部７０３へはスキャナ４０２で読み取られた画像が出力される。そして、画像信号制御部７０３からプリンタ制御部７０４へ出力された画像は画像形成され、給紙トレイ４１７などから給紙したメディアに印刷される。その後、印刷されたメディアは、ユーザ指定の出力形態に応じて後処理を施される。ここで、後処理とは、スタッカ制御部７１０、フィニッシャ制御部７１１により施される処理を示す。例えば、メディアが大容量スタッカ２０４に排紙される場合は、スタッカ制御部７１０が、指定された排紙先に応じて、エスケープトレイ５０６やリフトテーブル５０８にメディアを排紙する制御を行う。
【００４２】
また、メディアがフィニッシャ装置２０５に排紙される場合には、フィニッシャ制御部７１１が、指定された排紙先や、中綴じおよび２穴パンチなど指定されたフィニッシング設定に応じた処理を行う。そして、処理を施されたメディアは、サンプルトレイ６１３、スタックトレイ６１７、サドルトレイ６２４のいずれかに排紙される。
【００４３】
図５の（Ｂ）において、フィニッシャ制御部７１１のＣＰＵ回路部１００１はＣＰＵ１００２を有し、ＲＯＭ１００３に格納されているプログラムに従って、次に示す制御部をコントロールする。制御部とは、搬送パス制御部１００５、給紙制御部１００６、パンチ／ステイプル制御部１００７、中綴じ折り制御部１００８、用紙検知部１００９である。搬送パス制御部１００５は、排紙フラッパ６０８、排紙フラッパ６１０を制御し搬送パス６０７の制御を行う。給紙制御部１００６は、インサータ６０２を制御し、インサータトレイ６０３、インサータトレイ６０４からメディアを搬送パス６０７に搬送する制御を行う。パンチ／ステイプル制御部１００７は、パンチャ６１５、ステープラ６１６を制御し、メディアに対する穴あけやホチキス止めを行う。中綴じ折り制御部１００８は、ストッパ６１９、折り込みプレート６２０、サドルステッチャ６２１などを制御し、メディアに中綴じ折りを施す制御を行う。用紙検知部１００９は、センサ６１４、センサ６１８、センサ６２７を制御し、それぞれ、サンプルトレイ６１３、スタックトレイ６１７、サドルトレイ６２４にメディア（シート）が積載されているか否かを検出する。
【００４４】
なお、ＲＡＭ１００４は、ＣＰＵ１００２のワーク領域である。
ＣＰＵ回路部１００１は、ＣＰＵ回路部７０５と搬送パス制御部１００５、給紙制御部１００６、パンチ／ステイプル制御部１００７、中綴じ折り制御部１００８、用紙検知部１００９との間の仲介回路である。ＣＰＵ回路部１００１は、ＣＰＵ回路部７０５からの指示や制御部からの通知を仲介する機能を持つ。
【００４５】
例えば、サンプルトレイ６１３にメディアが積載されているか否かを通知する場合は、以下のように仲介を行う。
用紙検知部１００９は、センサ６１４の状態を常に監視している。センサ６１４はサンプルトレイ６１３にメディアが積載されていない場合と、メディアが積載されている場合とを区別し、常に、どちらかの状態になっている。用紙検知部１００９は、センサ６１４の状態を常に監視することで、メディアが積載されている場合と、メディアが積載されていない場合の２つの状態の変化を把握する。
【００４６】
そして、状態が変化すると、用紙検知部１００９は、ＣＰＵ回路部１００１に、サンプルトレイ６１３の状態（メディア積載、もしくはメディア非積載）を通知する。通知を受けたＣＰＵ回路部１００１は、ＣＰＵ回路部７０５へサンプルトレイ６１３の状態を通知する。
つまり、ＣＰＵ回路部７０５は、サンプルトレイ６１３、スタックトレイ６１７、サドルトレイ６２４のメディア積載状況を常に監視できる構成となっている。
【００４７】
図６は、図５に示した給紙装置制御部７０９の詳細なブロック図である。
図６において、ＣＰＵ回路部８０１はＣＰＵ８０２を有し、ＲＯＭ８０３に格納されているプログラムに従って、次に示す制御部をコントロールする。制御部とは、給紙トレイ制御部８０５、用紙残量検知部８０６、ボタン押下検知部８０７である。
【００４８】
給紙トレイ制御部８０５は、外部給紙装置２０１の給紙トレイ３０１、給紙トレイ３０２、給紙トレイ３０３を制御する。また、給紙トレイ制御部８０５は、外部給紙装置２０２の給紙トレイ３０１、給紙トレイ３０２、給紙トレイ３０３、および画像形成装置本体２０３の給紙トレイ４１７を制御する。
【００４９】
用紙残量検知部８０６は、外部給紙装置２０１の残量センサ３０８、残量センサ３０９、残量センサ３１０、および外部給紙装置２０２の残量センサ３０８、残量センサ３０９、残量センサ３１０、および画像形成装置本体２０３の残量センサ４１９を制御する。
【００５０】
ボタン押下検知部８０７は、外部給紙装置２０１のボタン３１７、ボタン３１８、ボタン３１９、および外部給紙装置２０２のボタン３１７、ボタン３１８、ボタン３１９、および画像形成装置本体２０３のボタン４２３が押下されたか否かを検知する。なお、ＲＡＭ８０４は、ＣＰＵ８０２のワーク領域である。
【００５１】
ＣＰＵ回路部８０１は、ＣＰＵ回路部７０５と給紙トレイ制御部８０５、用紙残量検知部８０６、ボタン押下検知部８０７との間の仲介回路である。ＣＰＵ回路部８０１は、ＣＰＵ回路部７０５からの指示や制御部からの通知を仲介する機能を持つ。
例えば、外部給紙装置２０１の給紙トレイ３０１のボタン３１７が押下された場合は、外部給紙装置２０１の給紙トレイ３０１をオープンするために、以下のように仲介を行う。
【００５２】
ボタン押下検知部８０７は、外部給紙装置２０１のボタン３１７が押下された場合、ＣＰＵ回路部８０１にボタン３１７が押下されたことを通知する。そして、その通知を受けたＣＰＵ回路部８０１は、ＣＰＵ回路部７０５へボタン３１７が押下されたことを通知する。
【００５３】
続いて、ＣＰＵ回路部７０５は、ＣＰＵ回路部８０１に対して、外部給紙装置２０１の給紙トレイ３０１をオープンするように通知する。そして、この通知を受けたＣＰＵ回路部８０１は、給紙トレイ制御部８０５に、外部給紙装置２０１のトレイロック解除制御対３１４を制御して、給紙トレイ３０１をオープンする。
【００５４】
なお、ここで、外部給紙装置２０１の給紙トレイ３０１をオープンする指示は、ＣＰＵ回路部７０５が出している点は重要である。つまり、外部給紙装置２０１のボタン３１７が押下されなくても、ＣＰＵ回路部７０５が給紙トレイをオープンする指示を出すと言う条件を満たしていれば、任意の給紙トレイをオープン可能である。
以上のように、ＣＰＵ回路部７０５は、ＣＰＵ回路部８０１を通じて、給紙トレイ制御部８０５、用紙残量検知部８０６、ボタン押下検知部８０７を集中制御できる構成となっている。
【００５５】
図７は、図１に示した情報処理装置１０２および情報処理装置１０３のハードウェア構成のブロック図である。
図７において、１１０１はＣＰＵ（セントラルプロセッシングユニット）である。ＣＰＵ１１０１は、ＲＯＭ１１０７、ＨＤＤ１１０９及びＣＤＤ１１０６に格納された制御プログラムに基づいてＣＰＵデバイスに接続された各デバイスを制御する。
【００５６】
１１０２は表示装置であり、その表示画面には、例えばウインドウ、アイコン、メッセージ、メニューその他のユーザインターフェース情報が表示される。１１０３はＶＲＡＭ（ビデオランダムアクセスメモリ）であり、表示装置１１０２に表示するための画像が描画される。このＶＲＡＭ１１０３に生成された画像データは、所定の規定に従って表示装置１１０２に転送され、これにより表示装置１１０２に画像が表示される。
【００５７】
１１０４はキーボードであり、文字入力を行うための各種キーを有する。１１０５はＰＤ（ポインティングデバイス）であり、例えば、表示装置１１０２の表示画面上に表示されたアイコン、メニューその他のオブジェクトを指示するために使用される。
【００５８】
１１０６はＣＤＤ（コンパクトディスクドライブ）であり、ＣＤ−ＲＯＭや、ＣＤ−Ｒなどの記録メディアとの間で各種制御プログラムやデータの読み書きを行う装置である。これはＤＶＤドライブであってもよい。
【００５９】
１１０７はＲＯＭ（リードオンリメモリ）であり、各種の制御プログラムやデータを保持する。１１０８はＲＡＭ（ランダムアクセスメモリ）でありＣＰＵ１１０１のワーク領域、エラー処理時のデータの退避領域、制御プログラムのロード領域等を有する。例えば、情報処理装置１０２は、電子データをＲＩＰして画像形成装置１０１へ送信する機能を有している。そのプログラムはＲＯＭ１１０７に格納されており、ＲＩＰ処理を行う際にはＣＰＵ１１０１のワーク領域やＲＡＭ１１０８を利用する。
また、情報処理装置１０３は、電子データを印刷ジョブとして、情報処理装置１０２へ送信する機能を有している。そのプログラムはＲＯＭ１１０７に格納されており、送信処理を行う際には、ＣＰＵ１１０１のワーク領域やＲＡＭ１１０８を利用する。
【００６０】
１１０９は内部記録装置としてのＨＤＤ（ハードディスクドライブ）であり、各種制御プログラムや各種データを保存する。１１１０は外部記録Ｉ／Ｆであり、ＵＳＢメモリなどの外部記録媒体への読み書きを行う装置である。
【００６１】
１１１１はネットワーク・インターフェース（Ｎｅｔ−Ｉ／Ｆ）であり、ネットワーク１０４を介して、画像形成装置１０１、情報処理装置１０２、情報処理装置１０３の間で、データの送受信を行うことができる。１１１２はＣＰＵバスであり、アドレスバス、データバス及びコントロールバスを含む。
【００６２】
図８は、図１に示した画像形成装置１０１、情報処理装置１０２、および情報処理装置１０３のソフトウェア構成のブロック図である。
機器制御部１２０１、受信処理部１２０２、送信処理部１２０３、ネットワークＩ／Ｆ制御部１２０４は、画像形成装置１０１のＣＰＵ回路部７０５にて実行されるソフトウェアである。また、ＵＩ処理部１２０５、ジョブ制御部１２０６、ＲＩＰ処理部１２０７、受信処理部１２０８、送信処理部１２０９、ネットワークＩ／Ｆ制御部１２１０は、情報処理装置１０２のＣＰＵ１１０１にて実行されるソフトウェアである。さらに、ＵＩ処理部１２１１、ジョブ生成部１２１２、送信処理部１２１３、ネットワークＩ／Ｆ制御部１２１４は、情報処理装置１０３のＣＰＵ１１０１にて実行されるソフトウェアである。
【００６３】
機器制御部１２０１は、画像形成装置本体２０３の印刷機能、大容量スタッカ２０４の積載トレイとして機能するリフトテーブル５０８に積載された印刷済みのメディアを取り出す、給紙トレイのオープンなどの処理を担当する。
たとえば、リフトテーブル５０８に積載された印刷済みのメディアを取り出す場合は、スタッカ制御部７１０を制御することで、スライドドア５０２の上方移動、リフトテーブル５０８の下方移動、イジェクトテーブル５０９の前面側移動を制御する。また、画像形成装置本体２０３の給紙トレイ４１７、外部給紙装置２０１および２０３の給紙トレイ３０１〜３０３をオープンする場合は、給紙装置制御部７０９を制御することで、画像形成装置１０１の各給紙トレイのオープンを制御する。
【００６４】
さらに、機器制御部１２０１は、給紙装置制御部７０９からの各給紙トレイのボタン押下、およびスタッカ制御部７１０からのボタン押下を検知し、送信処理部１２０３を通じて、情報処理装置１０２へ送信する制御も実施する。
【００６５】
受信処理部１２０２は、情報処理装置１０２によりＲＩＰされた印刷画像を、ネットワークＩ／Ｆ制御部１２０４を通じて受信し、ページ単位で機器制御部１２０１へ渡す処理を担当する。また、受信処理部１２０２は、リフトテーブル５０８に積載された印刷済みのメディアを取り出す要求、および、画像形成装置１０１の各給紙トレイに対するオープン要求を受信し、その要求を機器制御部１２０１へ渡す制御も実施する。
【００６６】
ネットワークＩ／Ｆ制御部１２０４は、ネットワークＩ／Ｆ７１３を制御する。さらに、ネットワークＩ／Ｆ制御部１２１０と連携し、ネットワーク１０４を通じて、画像形成装置１０１と情報処理装置１０２との間のデータ通信処理を担当する。
【００６７】
ＵＩ処理部１２０５は、情報処理装置１０２の表示装置１１０２に、画像形成装置１０１と情報処理装置１０２が印刷ジョブを実行するときの制御設定画面を表示する処理を担当する。そして、ＵＩ処理部１２０５は、制御設定画面にて設定された設定値を情報処理装置１０２のＨＤＤ１１０９への保存や読み出しを行う処理を担当する。
ジョブ制御部１２０６は、画像形成装置１０１に対する印刷ジョブの管理およびジョブ送信処理を担当する。具体的には、印刷ジョブの開始、中断、キャンセルなどの処理を行う。ＲＩＰ処理部１２０７は、印刷データをページ単位でＲＩＰする処理を担当する。
【００６８】
受信処理部１２０８は、ネットワークＩ／Ｆ制御部１２１０を通じて、給紙装置制御部７０９からの各給紙トレイのボタン押下、およびスタッカ制御部７１０からのボタン押下を検知したイベントを受信し、ジョブ制御部１２０６へ渡す処理を担当する。さらに、受信処理部１２０８は、ネットワークＩ／Ｆ制御部１２１０を通じて、情報処理装置１０３から受信した印刷ジョブをジョブ制御部１２０６へ渡す処理を担当する。
【００６９】
送信処理部１２０９は、ＲＩＰ画像を、ページ単位で、ネットワークＩ／Ｆ制御部１２１０を通じて、画像形成装置１０１の受信処理部１２０２に渡す処理を担当する。さらに、送信処理部１２０９は、ジョブ制御部１２０６から渡されたスタックイジェクト要求、および給紙トレイオープン要求を、ネットワークＩ／Ｆ制御部１２１０を通じて、画像形成装置１０１の受信処理部１２０２に渡す処理を担当する。
【００７０】
ネットワークＩ／Ｆ制御部１２１０は、Ｎｅｔ−Ｉ／Ｆ１１１１を制御する。さらに、ネットワークＩ／Ｆ制御部１２０４とネットワークＩ／Ｆ制御部１２１４と連携し、ネットワーク１０４を通じて、画像形成装置１０１、情報処理装置１０２、情報処理装置１０３との間のデータ通信処理を担当する。
ＵＩ処理部１２１１は、情報処理装置１０３の表示装置１１０２にジョブ設定画面を表示する処理や、印刷ジョブを生成する指示をジョブ生成部１２１２に渡す処理を担当する。ジョブ生成部１２１２は、ＵＩ処理部１２１１からの指示に従って印刷ジョブを生成し、印刷データを送信処理部１２１３に渡す処理を担当する。送信処理部１２１３は、印刷ジョブを、ネットワークＩ／Ｆ制御部１２１４を通じて、情報処理装置１０２の受信処理部１２０８へ渡す処理を担当する。
【００７１】
ネットワークＩ／Ｆ制御部１２１４は、Ｎｅｔ−Ｉ／Ｆ１１１１を制御する。さらに、ネットワークＩ／Ｆ制御部１２１０と連携し、ネットワーク１０４を通じて、情報処理装置１０２と情報処理装置１０３との間のデータ通信処理を担当する。
本構成において、情報処理装置１０３から印刷ジョブ送信し、画像形成装置１０１でＲＩＰし、画像形成装置１０１で印刷する場合は、以下の処理を行うことで実現する。
【００７２】
まず、情報処理装置１０３のジョブ生成部１２１２は、ＵＩ処理部１２１１にて設定されたジョブ設定に従ってジョブを生成し、印刷データとジョブ設定情報を、送信処理部１２１３を使ってジョブ制御部１２０６へ印刷ジョブを送信する。次に、情報処理装置１０２のジョブ制御部１２０６は、受信した印刷データをＲＩＰ処理部１２０７にてページ単位でレンダリングし、送信処理部１２０９を使ってＲＩＰ画像を機器制御部１２０１へ送信する。
さらに、ジョブ制御部１２０６は、ＲＩＰ画像の送信に合わせて、ネットワークＩ／Ｆ制御部１２１０を通じて、ジョブ設定情報を、機器制御部１２０１へ送信する。次に、画像形成装置１０１の機器制御部１２０１は、受信したＲＩＰ画像を受け取り、その画像データを画像信号制御部７０３へ渡すとともに、ジョブ設定情報を受信する。
続いて、機器制御部１２０１は、ジョブ設定情報を元に、プリンタ制御部７０４、給紙装置制御部７０９、スタッカ制御部７１０、フィニッシャ制御部７１１へ給紙トレイや排紙先に関する指示を出す。そして、前記指示を出すと共に、画像信号制御部７０３へ、画像データをプリンタ制御部７０４へ渡すように指示する。また、本構成において、大容量スタッカ２０４のリフトテーブル５０８に積載された印刷済みのメディアを取り出す場合は、以下の処理を行うことで実現する。
【００７３】
まず、画像形成装置１０１の機器制御部１２０１は、スタッカ制御部７１０のボタン押下検知部９０９からボタン５０１が押下されたことを検知したイベントを受信する。ここで、ボタン５０１は、ユーザから回収指示を受付けるボタンとして機能する。そして、機器制御部１２０１は、送信処理部１２０３を通じて、情報処理装置１０２のジョブ制御部１２０６へボタン押下イベントを送信する。ジョブ制御部１２０６は、現在のジョブ状況に応じて、印刷ジョブに対するジョブ制御を行った後、送信処理部１２０９を経由して、機器制御部１２０１へスタックイジェクト要求を渡す。
【００７４】
次に、画像形成装置１０１の機器制御部１２０１は、受信したスタックイジェクト要求に従って、スライドドア５０２の上方移動、リフトテーブル５０８の下方移動、イジェクトテーブル５０９の前面側移動の一連の制御を行う。
【００７５】
なお、上記の機器制御部１２０１へのスタックイジェクト要求は、ＵＩ処理部１２０５からの依頼により実行することも可能である。ＵＩ処理部１２０５からのスタックイジェクト要求については、図１３にて説明する。
また、本構成において、画像形成装置本体２０３の給紙トレイ４１７、外部給紙装置２０１および２０３の給紙トレイ３０１〜３０３をオープンする場合は、以下の処理を行うことで実現する。
【００７６】
例えば、画像形成装置１０１の給紙トレイ４１７のボタン４２３が押下されると、画像形成装置１０１の機器制御部１２０１は、給紙装置制御部７０９のボタン押下検知部８０７からボタン４２３が押下されたことを検知したイベントを受信する。
そして、機器制御部１２０１は、送信処理部１２０３を通じて、情報処理装置１０２のジョブ制御部１２０６へボタン押下イベントを送信する。ジョブ制御部１２０６は、現在のジョブ状況に応じて、印刷ジョブに対するジョブ制御を行った後、送信処理部１２０９を経由して、機器制御部１２０１へ給紙トレイ４１７に対する給紙トレイオープン要求を渡す。
【００７７】
次に、画像形成装置１０１の機器制御部１２０１は、受信した給紙トレイオープン要求に従って、給紙装置制御部７０９の給紙トレイ制御部８０５に、給紙トレイ４１７をオープンするように指示する。そして、給紙トレイ制御部８０５は、トレイロック解除制御対４２１を制御し、給紙トレイ４１７をオープンする。
【００７８】
なお、上記の機器制御部１２０１への給紙トレイオープン要求は、ＵＩ処理部１２０５からの依頼により実行することも可能である。ＵＩ処理部１２０５からの給紙トレイオープン要求については、図９にて説明する。
【００７９】
図９は、図１に示した情報処理装置１０２に表示されるシステム状況画面を示す図である。なお、本画面はＵＩ処理部１２０５により表示および制御される。
システム状況表示領域１３０１は、画像形成装置１０１の機器構成に応じて表示が変化する。本説明においては、外部給紙装置２０１、外部給紙装置２０２、画像形成装置本体２０３、大容量スタッカ２０４、フィニッシャ装置２０５が表示されている。また、給紙トレイとしては、画像形成装置本体２０３付属の１個の給紙トレイ、外部給紙装置２０２付属の３個の給紙トレイ、外部給紙装置２０１付属の３個の給紙トレイ、フィニッシャ装置２０５の２個のインサータの合計９つが選択可能に表示されている。さらに、排紙トレイとしては、大容量スタッカ２０４のスタック部が選択可能に表示されている。
【００８０】
給紙トレイボタン１３０５、給紙トレイボタン１３０６、給紙トレイボタン１３０７は、それぞれ、外部給紙装置２０１の給紙トレイ３０１、給紙トレイ３０２、給紙トレイ３０３に対応している。
給紙トレイボタン１３０８、給紙トレイボタン１３０９、給紙トレイボタン１３１０は、それぞれ、外部給紙装置２０２の給紙トレイ３０１、給紙トレイ３０２、給紙トレイ３０３に対応している。
給紙トレイボタン１３１１は、画像形成装置１０１の給紙トレイ４１７に対応している。インサータボタン１３１３、インサータボタン１３１４は、それぞれ、フィニッシャ装置２０５のインサータトレイ６０３、インサータトレイ６０４に対応している。また、スタックボタン１３１２は、大容量スタッカ２０４のリフトテーブル５０８に対応している。
ここで、給紙トレイボタン１３０５〜１３１１に表示されているメディアサイズ（Ａ４，Ａ３）とメディアタイプ（普通紙）は、各給紙トレイに登録したメディア情報が表示されている。
【００８１】
スタックイジェクトボタン１３０２は、大容量スタッカ２０４のリフトテーブル５０８に積載されたメディアを取り出す場合に押下するボタンであり、スタックボタン１３１２を選択した後に、押下可能となる。
給紙トレイオープンボタン１３０３は、給紙トレイをオープンする場合に押下するボタンであり、給紙トレイボタン１３０５〜１３１１のいずれかを選択した後に、押下可能となる。
メディア登録ボタン１３０４は、給紙トレイに給紙したメディアの種類を登録する場合に押下するボタンであり、給紙トレイボタン１３０５〜１３１１、インサータボタン１３１３、インサータボタン１３１４のいずれかを選択した後に、押下可能となる。メディア登録ボタン１３０４を押下すると、選択した給紙トレイにメディア情報を登録するために、図１０の給紙メディア登録画面が表示される。ここで、スタックイジェクトボタン１３０２と給紙トレイオープンボタン１３０３が押下されたときの処理について説明する。
【００８２】
まず、スタックイジェクトボタン１３０２について説明する。スタックボタン１３１２選択後、スタックイジェクトボタン１３０２を押下すると、ＵＩ処理部１２０５は、ジョブ制御部１２０６にスタックイジェクト要求を送信する。そして、ジョブ制御部１２０６が、前述の通り、受信したスタックイジェクト要求を処理する。
【００８３】
次に、給紙トレイオープンボタン１３０３について説明する。たとえば、給紙トレイボタン１３１１を選択後、給紙トレイオープンボタン１３０３を押下すると、ＵＩ処理部１２０５は、ジョブ制御部１２０６に画像形成装置本体２０３の給紙トレイ４１７に対する給紙トレイオープン要求を送信する。そして、ジョブ制御部１２０６が、前述の通り、受信した給紙トレイ４１７に対する給紙トレイオープン要求を処理する。
【００８４】
図１０は、給紙メディア登録画面を示す図である。本画面はＵＩ処理部１２０５により表示および制御される。
給紙メディア選択ボタン群１４０１は、給紙トレイに給紙したメディア情報を選択する領域である。図１０の状態では、９種類のメディアが選択可能である。スクロールボタン１４０２は、給紙メディア選択ボタン群１４０１の中に、選択したいメディア情報が無かった場合に使うボタンである。スクロールボタン１４０２の上下のスクロールを使うことで、現在表示されていないメディア情報を、給紙メディア選択ボタン群１４０１に表示させることができる。
【００８５】
ＯＫボタン１４０３は、選択したメディア情報を反映するためのボタンである。給紙メディア選択ボタン群１４０１の中から一つが選択され、その後、ＯＫボタン１４０３が押下されると、選択したメディア情報が給紙トレイに反映され、図９のシステム状況画面に戻る。
キャンセルボタン１４０４は、選択を破棄するためのボタンであり、キャンセルボタン１４０４が押下されると、選択が破棄され、図９のシステム状況画面に戻る。
【００８６】
なお、本画面による設定は、ＵＩ処理部１２０５が、ＣＰＵ回路部７０５を使って、ＨＤＤ  Ｉ／Ｆ部７１２を経由して、ＨＤＤ７１４に保存する処理を行う。また、表示する場合は、ＵＩ処理部１２０５がＨＤＤ７１４から読みだす処理を行う。
図１１は、情報処理装置１０２に表示されるジョブスケジューラ画面を示す図である。本画面はＵＩ処理部１２０５により表示および制御される。
画像形成装置１０１で印刷するジョブは、図１１のジョブスケジューラ画面を使って管理される。
【００８７】
メディアボタン群１５０１は、スケジューリングされたジョブに必要なメディアが一覧表示される領域である。たとえば、Ａ４の普通紙はＪｏｂ１で必要とされ、Ａ３の普通紙はＪｏｂ２で必要とされることを表わしている。また、メディアボタン群１５０１は、印刷予定のジョブにより表示されるボタン数が変わる。たとえば、Ｊｏｂ１が印刷完了すると、Ａ４の普通紙を使うジョブが無くなるため、Ａ４の普通紙は、メディアボタン群１５０１に表示されなくなる。
時間軸１５０２は、現在を基準とした時間軸である。時間軸１５０２は、左から右へ伸びており、分単位で表示されている。ジョブ軸１５０３は、印刷ジョブを表わしており、スケジュールされているジョブ名称と、用紙切れが発生しなかった場合、何分後にジョブが完了するかを表わしている。
【００８８】
メディア回収ボタン１５０４は、印刷物と一緒にメディアの回収を行うか否かを設定する場合に押下するボタンであり、メディアボタン群１５０１から一つのメディアを選択した場合に押下可能となる。図１１の例では、Ａ４普通紙、もしくはＡ３普通紙を選択後に押下可能となる。メディア回収ボタン１５０４を押下すると、図１２のメディア回収設定画面が表示される。
【００８９】
図１２は、メディア回収設定画面を示す図ある。
ラジオボタン群１６０１は、メディアを印刷物と一緒に回収するか否かを設定するボタンであり、「回収する」もしくは「回収しない」の２つの選択肢の中から１つが選択可能である。なお、図１２の例では、「回収する」が選択されている状態に対応する。
【００９０】
ＯＫボタン１６０２は、ラジオボタン群１６０１の設定を確定する場合に押下するボタンである。ＯＫボタン１６０２が押下されると、図１１のジョブスケジューラ画面に戻る。キャンセルボタン１６０３は、ラジオボタン群１６０１にて行った選択を破棄するためのボタンであり、キャンセルボタン１６０３が押下されると、選択が破棄され、図１１のジョブスケジューラ画面に戻る。
【００９１】
なお、本画面による設定は、ＵＩ処理部１２０５が、ＣＰＵ回路部７０５を使って、ＨＤＤ  Ｉ／Ｆ部７１２を経由して、ＨＤＤ７１４に保存する処理を行う。また、表示する場合は、ＵＩ処理部１２０５がＨＤＤ７１４から読みだす処理を行う。
【００９２】
図１３は、図１に示した情報処理装置１０３の表示装置１１０２に表示されるジョブ設定画面を示す図ある。
図１３の（Ａ）において、１７０１はジョブ設定項目を種類によってグループ化したタグであり、「一般」、「ジョブ情報」、「メディア」、「レイアウト」、「仕上げ」の５種類により構成されている。そして、図１３の（Ａ）では、「メディア」の設定項目が表示されている。
【００９３】
「メディア」は、印刷ジョブが使用するメディアに関連する設定をまとめたタグである。メディア種類設定１７０２は、印刷ジョブが使用するメディアを指定する項目であり、図中では、普通紙が選択されている。メディアサイズ設定１７０３は、印刷ジョブが使用するメディアサイズを設定する項目であり、図中では、Ａ４が選択されている。給紙トレイ設定１７０４は、印刷ジョブが使用するメディアをどの給紙トレイから給紙するかを設定する項目であり、図中では、自動選択が設定されている。
つまり、図中の設定では、メディアタイプが普通紙で、メディアサイズがＡ４と設定されている給紙トレイであれば、どの給紙トレイからでも給紙して印刷するように設定されている。
【００９４】
ＯＫボタン１７０５は、ジョブ設定画面で設定した内容をジョブ設定として決定するボタンである。キャンセルボタン１７０６は、ジョブ設定画面で設定した内容を破棄するボタンである。なお、ＯＫボタン１７０５およびキャンセルボタン１７０６を押下後、ジョブ設定画面は閉じられる。
【００９５】
図１３の（Ｂ）は、「仕上げ」の設定項目が表示される画面を示す図である。
「仕上げ」は、排紙に関する設定をまとめたタグである。排紙先設定１７０７は、排紙先の指定に関する設定であり、図中では、スタッカ内が指定されている。ここでスタッカ内とは、大容量スタッカ２０４のリフトテーブル５０８のことを意味する。また、本設定は、スタッカ内以外にも、フィニッシャ装置２０５のサンプルトレイ６１３、スタックトレイ６１７、サドルトレイ６２４などが選択可能である。
【００９６】
パンチ設定１７０８は、フィニッシャ装置２０５に排出する際に、メディアに穴あけ処理を行うか否かを設定する項目である。図中では、パンチ設定１７０８をしないに指定されている。ステイプル設定１７０９は、フィニッシャ装置２０５に排出する際に、メディアにホチキス留め処理を行うか否かを設定する項目である。図中では、ステイプル設定１７０９をしないに指定されている。中綴じ設定１７１０は、フィニッシャ装置２０５に排出する際に、メディアに中綴じ処理を行うか否かを設定する項目である。図中では、中綴じ処理をしないに設定されている。ＯＫボタン１７０５、およびキャンセルボタン１７０６については、図１３の（Ａ）での説明と同様であるため、説明を省略する。
【００９７】
なお、図１３の（Ａ）、図１３の（Ｂ）の画面による設定は、ＵＩ処理部１２０５が、ＣＰＵ回路部７０５を使って、ＨＤＤ  Ｉ／Ｆ部７１２を経由して、ＨＤＤ７１４に保存する処理を行う。また、表示する場合は、ＵＩ処理部１２０５がＨＤＤ７１４から読みだす処理を行う。
【００９８】
第１実施形態では、大容量スタッカ２０４のリフトテーブル５０８へ印刷ジョブを排紙した後、オペレータが大容量スタッカ２０４のボタン５０１を押下して、印刷物と共に給紙トレイに残ったメディアを回収する場合について説明する。
【００９９】
まず、メディアの回収については、オペレータが、図１２のメディア回収設定画面にて、Ａ４普通紙を「回収する」設定にしたとする。次に、印刷ジョブについては、当初、図１１のように２つのジョブがスケジュールされている状態であり、現在、Ｊｏｂ１が終了し、Ｊｏｂ２が印刷開始された状態であるとする。また、各給紙トレイに登録されているメディアの種類は、図１３に示す画面のように設定されているものとする。
【０１００】
図１４は、本実施形態を示す情報処理装置の制御方法を説明するフローチャートである。本例は、情報処理装置１０２にて実行されるジョブ制御部１２０６のデータ処理例である。なお、各ステップに対応するプログラムは、ＲＯＭ１１０７に格納されており、ＣＰＵ１１０１にて実行されることで本処理が実現される。以下の説明では、図８に示したモジュールを主体として説明を行う。
Ｓ１８０１〜Ｓ１８０２は、オペレータが、大容量スタッカ２０４のボタン５０１が押下したことを示すスタックイジェクトボタン押下イベントを、ジョブ制御部１２０６が受信するまでのループ処理である。
【０１０１】
Ｓ１８０１では、ジョブ制御部１２０６は、リフトテーブル５０８に排出したメディアを管理する。ジョブ制御部１２０６は、ＣＰＵ回路部７０５上のＲＡＭ７０８に、管理したメディア情報を保持する。なお、管理したメディア情報は、スタックイジェクトを実施する度に初期化される。第１実施形態では、ジョブ１が使用する「Ａ４普通紙」が、リフトテーブル５０８に積載されているとして管理される。
【０１０２】
Ｓ１８０２では、ジョブ制御部１２０６は、スタックイジェクトボタン押下イベントを受信したか否かを判断する。スタックイジェクトボタン押下イベントを押下したとジョブ制御部１２０６が判断した場合は、Ｓ１８０３へ進み、受信していない場合は、Ｓ１８０１へ戻る。
【０１０３】
Ｓ１８０３〜Ｓ１８０４は、ジョブ制御部１２０６が、イジェクトテーブル５０９にメディアが積載されているか否かを判断するループ処理である。イジェクトテーブル５０９にメディア積載されている状態では、物理的にスタックイジェクト処理を行うことが不可能であるため、ジョブ制御部１２０６は、この状態ではスタックイジェクト処理を行わない。本処理により、スタックイジェクト処理と給紙トレイのオープン処理を同時に実行することができるようになる。
【０１０４】
Ｓ１８０３では、ジョブ制御部１２０６は、スタッカ制御部７１０のイジェクトテーブル制御部９０８を制御することで、イジェクトテーブル５０９のメディア積載状態を取得する。そして、Ｓ１８０４にて、ジョブ制御部１２０６は、イジェクトテーブル８０９にメディアが積載されていない場合は、Ｓ１８０５へ進み、メディアが積載されている場合は、Ｓ１８０３へ戻る。
【０１０５】
Ｓ１８０５では、ジョブ制御部１２０６は、ジョブスケジューラからメディアの利用情報を取得するため、ＵＩ処理部１２０５から使用予定のメディア情報を取得する。第１実施形態の場合は、Ｊｏｂ２が「Ａ３普通紙」を使用するため、ジョブ制御部１２０６は、ＵＩ処理部１２０５から「Ａ３普通紙」が使用予定のメディアであると言う情報を取得する。
【０１０６】
次に、Ｓ１８０６では、ジョブ制御部１２０６は、メディア回収設定を「回収する」にしたメディア情報取得するため、ＵＩ処理部１２０５から、図１２のメディア回収設定画面で行った設定情報を取得する。第１実施形態の場合は、「Ａ４普通紙」に対して「回収する」設定にした前提であるため、「Ａ４普通紙」が取得される。
【０１０７】
次に、Ｓ１８０７では、ジョブ制御部１２０６は、Ｓ１８０５とＳ１８０６で取得されたメディアの情報を比較し、「回収する」と設定されたメディアが、ジョブスケジュール上使用予定が無いことを確認する。第１実施形態の場合は、「Ａ４普通紙」は「回収する」と設定されているが、使用予定が無いと言う状態である。
【０１０８】
次に、Ｓ１８０８では、ジョブ制御部１２０６は、Ｓ１８０７において、「回収する」と設定され、かつ、ジョブスケジュール上使用予定が無いメディアが、Ｓ１８０１にて取得した情報を利用して、リフトテーブル５０８に排紙されているか否かを判定する。もし、排紙されていなければ、Ｓ１８１１に進み、排紙されていれば、Ｓ１８０９に進む。
【０１０９】
Ｓ１８０９では、ジョブ制御部１２０６は、図９に示すように各給紙トレイに登録されているメディア情報を取得するために、ＵＩ処理部１２０５から、給紙トレイボタン１３０５〜１３１０に登録されているメディア情報を取得する。この時、ＵＩ処理部１２０５は、ＣＰＵ回路部７０５を使って、ＨＤＤ  Ｉ／Ｆ部７１２を経由して、ＨＤＤ７１４から登録されているメディア情報を読みだす処理を行う。第１実施形態の場合は、図９に示すように登録されている。そのため、ＵＩ処理部１２０５は、ジョブ制御部１２０６に対して、給紙トレイ１ボタン３０５〜１３１０は、「Ａ４普通紙」、給紙トレイボタン１３１１は「Ａ３普通紙」が登録されているという情報を返すことになる。つまり、第１実施形態の場合は、Ｓ１８０９において、ジョブ制御部１２０６は、「Ａ４普通紙」が入った給紙トレイは、給紙トレイボタン１３０５〜１３１０であると特定する。
【０１１０】
次に、Ｓ１８１０では、ジョブ制御部１２０６は、給紙トレイボタン１３０５〜１３１０をオープンするために、機器制御部１２０１に対して、給紙トレイボタン１３０５〜１３１０に対応した給紙トレイのオープン要求を送信する。具体的には、ジョブ制御部１２０６は、外部給紙装置２０１の給紙トレイ３０１〜３０３、外部給紙装置２０２の給紙トレイ３０１〜３０３に対するオープン要求を、送信処理部１２０９を通じて、機器制御部１２０１に対して行う。
そして、機器制御部１２０１は、ＣＰＵ回路部７０５を使って給紙装置制御部７０９を制御することで、外部給紙装置２０１の給紙トレイ３０１〜３０３、外部給紙装置２０２の給紙トレイ３０１〜３０３に対する給紙トレイオープン処理を実施する。
【０１１１】
次に、Ｓ１８１１では、ジョブ制御部１２０６は、スタックイジェクトを実施するために、送信処理部１２０９を通じて、機器制御部１２０１に、スタックイジェクト要求を送信する。そして、機器制御部１２０１は、スタックイジェクト要求を受信すると、ＣＰＵ回路部７０５を使って、スタッカ制御部７１０を制御することで、大容量スタッカ２０４に対するスタックイジェクト処理を実施して、処理を終了する。
【０１１２】
なお、本実施形態のＳ１８０２の処理について補足しておく。本実施形態では、オペレータによるスタックイジェクト要求は、スタックイジェクトボタン１３０２を押下するトリガであっても良い。その場合は、Ｓ１８０２の処理を、ジョブ制御部１２０６が、ＵＩ処理部１２０５からのスタックイジェクト要求を受信する処理に置き換えれば良い。
また、Ｓ１８０２の処理は、ジョブ制御部１２０６が、スタックイジェクトボタン押下イベントの受信と、ＵＩ処理部１２０５からのスタックイジェクト要求の受信の両方を待つ処理に変更しても良い。
【０１１３】
さらに、本実施形態のＳ１８１０の処理について補足しておく。Ｓ１８１０の処理では、「Ａ４普通紙」が登録されている給紙トレイすべてに対して、給紙トレイのオープンを実施した。本処理は、「Ａ４普通紙」が登録されている給紙トレイの中でも、メディアが入っている給紙トレイだけをオープンする処理にしてもよい。その場合は、ジョブ制御部１２０６は、送信処理部１２０９を通じ、機器制御部１２０１に対して、外部給紙装置２０１の給紙トレイ３０１〜３０３、および外部給紙装置２０２の給紙トレイ３０１〜３０３のメディア残量を送信する要求を行う。そして、機器制御部１２０１は、ＣＰＵ回路部７０５を使って、給紙装置制御部７０９を制御することで、各給紙トレイのメディア残量情報を取得し、送信処理部１２０３を使って、ジョブ制御部１２０６へメディア残量情報を送信する。その後、ジョブ制御部１２０６は、機器制御部１２０１に対して、メディア残量がゼロ以外の給紙トレイに対して、給紙トレイオープン要求を行う。
【０１１４】
本実施形態によれば、オペレータが印刷成果物を回収する時に、印刷ジョブのスケジュールを確認した上で、回収すべきメディアが入った給紙トレイをオープンすることができる。また、給紙トレイのメディア残量がゼロの場合の給紙トレイをオープンしないため、オペレータが無駄なメディア回収作業を行わなくて良いメリットがある。
【０１１５】
〔第２実施形態〕
本実施形態は、第１実施形態において、オペレータが、スタックイジェクトと給紙トレイのオープンの実施を選択可能としたものである。
【０１１６】
図１５は、情報処理装置１０２の表示装置１１０２に表示される給紙トレイオープン確認画面を示す図である。本画面の表示は、ＵＩ処理部１２０５により制御される。
図１５において、実行するボタン１９０１は、オペレータが、スタックイジェクトと共に給紙トレイをオープンする際に押下するボタンである。また、実行しないボタン１９０２は、オペレータが、スタックイジェクトと共に給紙トレイをオープンしない際に押下するボタンである。
【０１１７】
ＵＩ処理部１２０５は、実行するボタン１９０１が押下されると、ジョブ制御部１２０６に対して、給紙トレイオープン要求を行う。また、ＵＩ処理部１２０５は、実行しないボタン１９０２が押下されると、ジョブ制御部１２０６に対して、給紙トレイ非オープン要求を行う。
【０１１８】
図１６は、本実施形態を示す情報処理装置の制御方法を説明するフローチャートである。本例は、情報処理装置１０２にて実行されるジョブ制御部１２０６による処理例である。なお、各ステップに対応するプログラムは、ＲＯＭ１１０７に格納されており、ＣＰＵ１１０１にて実行されることで本処理が実現される。
【０１１９】
本処理は、図１４に示した処理と比較すると、Ｓ１８０９からＳ１８１０の処理の間に、Ｓ２０１０からＳ２０１１の処理が挿入されたフローチャートである。そのため、Ｓ２００１〜Ｓ２００９は、Ｓ１８０１〜Ｓ１８０９と同様の処理であるため、説明を省略する。
【０１２０】
Ｓ２０１０では、ジョブ制御部１２０６は、ＵＩ処理部１２０５に対して、図１５の「給紙トレイオープン確認」画面を表示するように指示する。そして、オペレータが、実行するボタン１９０１を押下した場合は、ＵＩ処理部１２０５は、ジョブ制御部１２０６に対して、給紙トレイオープン要求を行う。また、オペレータが、実行しないボタン１９０２を押下した場合は、ＵＩ処理部１２０５は、ジョブ制御部１２０６に対して、給紙トレイ非オープン要求を行う。
【０１２１】
次に、Ｓ２０１１では、ジョブ制御部１２０６は、ＵＩ処理部１２０５から給紙トレイオープン要求を受信した場合は、Ｓ２０１２に進み、給紙トレイ非オープン要求を受信した場合は、Ｓ２０１３に進む。
Ｓ２０１２とＳ２０１３の処理は、Ｓ１８１０とＳ１８１１の処理と同様であるため、説明は省略する。
【０１２２】
以上のように、本発明によれば、印刷成果物を回収する時に、印刷ジョブのスケジュールを確認した上で、回収すべきメディアが入った給紙トレイをオープンする場合でも、オペレータの意思により、給紙トレイのオープンを選択可能となる。
【０１２３】
本発明によれば、未投入のジョブのように、印刷ジョブのスケジュールに反映されていないジョブがメディアを利用する場合に、オペレータの選択により給紙トレイをオープンしないメリットがある。
【０１２４】
〔第３実施形態〕
本実施形態では、フィニッシャ装置２０５のサンプルトレイ６１３、スタックトレイ６１７、またはサドルトレイ６２４に出力された印刷成果物を、オペレータが回収した場合について説明する。第１実施形態と比較すると、印刷成果物の出力先が、大容量スタッカ２０４からフィニッシャ装置２０５に置き変わったものである。
【０１２５】
図１７は、本実施形態を示す情報処理装置の制御方法を説明するフローチャートである。本例は、情報処理装置１０２にて実行されるジョブ制御部１２０６のデータ処理例である。なお、各ステップに対応するプログラムは、ＲＯＭ１１０７に格納されており、ＣＰＵ１１０１にて実行されることで本処理が実現される。
Ｓ２１０１〜Ｓ２１０２は、フィニッシャ装置２０５のサンプルトレイ６１３、スタックトレイ６１７、またはサドルトレイ６２４の印刷成果物が回収されたことを示すメディア回収イベントを、ジョブ制御部１２０６が受信するまでのループ処理である。
【０１２６】
Ｓ２１０１では、ジョブ制御部１２０６は、図２に示したサンプルトレイ６１３、スタックトレイ６１７、またはサドルトレイ６２４に排出したメディアを管理する。ジョブ制御部１２０６は、ＣＰＵ回路部７０５上のＲＡＭ７０８に、管理したメディア情報を保持する。なお、管理したメディア情報は、メディア回収イベントを受信する度に初期化される。第３実施形態では、ジョブ１が使用する「Ａ４普通紙」が、サンプルトレイ６１３、スタックトレイ６１７、またはサドルトレイ６２４に積載されているとして管理される。
【０１２７】
Ｓ２１０２では、ジョブ制御部１２０６は、メディア回収イベントを受信したか否かを判断する。メディア回収イベントを受信した場合は、Ｓ２１０３へ進み、受信していない場合は、Ｓ２１０１へ戻る。
【０１２８】
メディア回収イベントは、機器制御部１２０１が、送信処理部１２０３を通じて、ジョブ制御部１２０６へ通知するイベントである。機器制御部１２０１は、ＣＰＵ回路部７０５を利用して、フィニッシャ制御部７１１の用紙検知部１００９を制御している。用紙検知部１００９は、センサ６１４、センサ６１８、センサ６２７により、それぞれ、サンプルトレイ６１３、スタックトレイ６１７、サドルトレイ６２４にメディアが積載されているか否かを検知できる。このセンサ情報を利用して、機器制御部１２０１は、メディアが積載されている状況からメディアが積載されていない状況に変化した場合に、メディア回収イベントを、ジョブ制御部１２０６に通知する。
【０１２９】
Ｓ２１０３では、ジョブ制御部１２０６は、ジョブスケジューラからメディアの利用情報を取得するため、ＵＩ処理部１２０５から使用予定のメディア情報を取得する。第３実施形態の場合は、Ｊｏｂ２が「Ａ３普通紙」を使用するため、ジョブ制御部１２０６は、ＵＩ処理部１２０５から「Ａ３普通紙」が使用予定のメディアであると言う情報を取得する。
【０１３０】
次に、Ｓ２１０４では、ジョブ制御部１２０６は、メディア回収設定を「回収する」にしたメディア情報取得するため、ＵＩ処理部１２０５から、図１２のメディア回収設定画面で行った設定情報を取得する。実施例３の場合は、「Ａ４普通紙」に対して「回収する」設定にした前提であるため、「Ａ４普通紙」が取得される。
【０１３１】
次に、Ｓ２１０５では、ジョブ制御部１２０６は、Ｓ２１０３と２１０４で取得されたメディアの情報を比較し、「回収する」と設定されたメディアが、ジョブスケジュール上使用予定が無いことを確認する。実施例３の場合は、「Ａ４普通紙」は「回収する」と設定されているが、使用予定が無いと言う状態である。
【０１３２】
次に、Ｓ２１０６では、ジョブ制御部１２０６は、Ｓ２１０５において、「回収する」と設定され、かつ、ジョブスケジュール上使用予定が無いメディアが、メディア回収イベントを発生したトレイに排紙されていたか否かを判定する。もし、排紙されていなければ、処理を終了し、排紙されていれば、Ｓ２１０７に進む。
【０１３３】
Ｓ２１０７では、ジョブ制御部１２０６は、給紙トレイに登録されているメディア情報を取得するために、ＵＩ処理部１２０５から、給紙トレイボタン１３０５〜１３１０に登録されているメディア情報を取得する。
この時、ＵＩ処理部１２０５は、ＣＰＵ回路部７０５を使って、ＨＤＤ  Ｉ／Ｆ部７１２を経由して、ＨＤＤ７１４から登録されているメディア情報を読みだす処理を行う。
第３実施形態に示す場合は、図９のようにメディア情報が登録されている。そのため、ＵＩ処理部１２０５は、ジョブ制御部１２０６に対して、給紙トレイボタン１３０５〜１３１０は、「Ａ４普通紙」、給紙トレイボタン１３１１は「Ａ３普通紙」が登録されているという情報を返すことになる。つまり、実施例３の場合は、２１０７において、ジョブ制御部１２０６は、「Ａ４普通紙」が入った給紙トレイは、給紙トレイボタン１３０５〜１３１０に対応する給紙トレイであると特定する。
【０１３４】
次に、Ｓ２１０８では、ジョブ制御部１２０６は、給紙トレイボタン１３０５〜１３１０に対応する給紙トレイをオープンするために、機器制御部１２０１に対して、給紙トレイボタン１３０５〜１３１０に対応した給紙トレイのオープン要求を送信する。具体的には、ジョブ制御部１２０６は、外部給紙装置２０１の給紙トレイ３０１〜３０３、外部給紙装置２０２の給紙トレイ３０１〜３０３に対するオープン要求を、送信処理部１２０９を通じて、機器制御部１２０１に対して行う。そして、機器制御部１２０１は、ＣＰＵ回路部７０５を使って給紙装置制御部７０９を制御することで、外部給紙装置２０１の給紙トレイ３０１〜３０３、外部給紙装置２０２の給紙トレイ３０１〜３０３に対する給紙トレイオープン処理を実施する。
【０１３５】
なお、本実施形態のＳ２１０８の処理について補足しておく。Ｓ２１０８の処理は、第１実施形態では記載したように、「Ａ４普通紙」が登録されている給紙トレイの中でも、メディアが入っている給紙トレイだけをオープンする処理にしてもよい。また、第３実施形態において、第２実施形態のように、Ｓ２１０７〜Ｓ２１０８の処理の間に、オペレータに給紙トレイもオープンするか否かを決定させても良い。
【０１３６】
以上のように、本発明によれば、フィニッシャ装置のように、オペレータがボタン押下などをしなくてもメディアを回収できる場合でも、回収すべきメディアが入った給紙トレイをオープン可能となる。
【０１３７】
〔第４実施形態〕
本実施形態では、印刷ジョブの属性として、スタックイジェクト要求を付与可能な場合について説明する。印刷ジョブの属性としてのスタックイジェクト要求は、ジョブ印刷開始時スタックイジェクトとジョブ印刷完了後スタックイジェクトの２つの選択が可能である。
まず、ジョブ印刷開始時スタックイジェクトとは、ジョブを印刷する前に、スタックイジェクトを実行し、スタックイジェクト完了後、印刷ジョブを開始することである。また、ジョブ印刷完了後スタックイジェクトとは、ジョブを印刷した後に、スタックイジェクトを行い、スタックイジェクト完了後、次の印刷ジョブを実行することである。いずれの場合も、大容量スタッカ２０４のリフトテーブル５０８に、他の印刷ジョブが混在しないようにする目的で利用される。
【０１３８】
次に、第４実施形態について説明する。
本実施形態では、当初、図１１のように２つのジョブがスケジュールされている状態であり、現在、Ｊｏｂ１が終了した状態であるとする。また、各給紙トレイに登録されているメディアの種類は、図１３のようにメディア情報が設定されているものとする。さらに、メディアの回収については、オペレータが、図１２のメディア回収設定画面にて、Ａ４普通紙を「回収する」設定にしたとする。
【０１３９】
上記の状態を前提として、第４実施形態では、ジョブ印刷開始時スタックイジェクトとジョブ印刷完了後スタックイジェクトを利用した場合について説明を行う。第４実施形態において、ジョブ印刷開始時スタックイジェクトの説明をする場合は、Ｊｏｂ２のジョブ属性にジョブ印刷開始時スタックイジェクトが設定されたとして説明を行う。また、ジョブ印刷完了後スタックイジェクトの説明をする場合は、Ｊｏｂ１のジョブ属性にジョブ印刷完了後スタックイジェクトが設定されたとして説明を行う。
図１８は、情報処理装置１０２の表示装置１１０２に表示される画面であり、ＵＩ処理部１２０５により制御される。本例は、印刷物と一緒に回収メディアがある場合に、スタックイジェクトと同時に給紙トレイをオープンするか否かをオペレータに選択させる画面である。
【０１４０】
図１８において、実行するボタン２２０１は、オペレータが、印刷物と一緒に回収メディアがある場合に、スタックイジェクトと同時に給紙トレイをオープンする場合に選択するボタンである。また、スタックイジェクトのみ実行ボタン２２０２は、オペレータが、印刷物と一緒に回収メディアがある場合、および無い場合にかかわらず、スタックイジェクトのみを実行する場合に選択するボタンである。
【０１４１】
なお、実行するボタン２２０１、およびスタックイジェクトのみ実行ボタン２２０２は、オペレータによる選択だけではなく、ＵＩ処理部１２０５が、タイムアウト処理により自動選択する場合もある。
【０１４２】
ＵＩ処理部１２０５は、実行するボタン２２０１が選択されると、ジョブ制御部１２０６に対して、給紙トレイオープン要求を行う。また、ＵＩ処理部１２０５は、スタックイジェクトのみ実行ボタン２２０２が押下されると、ジョブ制御部１２０６に対して、給紙トレイ非オープン要求を行う。
【０１４３】
図１９Ａ〜図１９Ｃは、本実施形態を示す情報処理装置の制御方法を説明するフローチャートである。本例は、情報処理装置１０２にて実行されるジョブ制御部１２０６のデータ処理例である。なお、各ステップに対応するプログラムは、ＲＯＭ１１０７に格納されており、ＣＰＵ１１０１にて実行されることで本処理が実現される。
【０１４４】
Ｓ２３０１〜Ｓ２３０２は、ジョブ制御部１２０６が印刷ジョブを受信するまでのループ処理である。
Ｓ２３０１では、ジョブ制御部１２０６は、リフトテーブル５０８に排出したメディアを管理する。ジョブ制御部１２０６は、ＣＰＵ回路部７０５上のＲＡＭ７０８に、管理したメディア情報を保持する。なお、管理したメディア情報は、スタックイジェクトを実施する度に初期化される。実施例１では、ジョブ１が使用する「Ａ４普通紙」が、リフトテーブル５０８に積載されているとして管理される。
Ｓ２３０２では、ジョブ制御部１２０６は、印刷ジョブを受信したか否かを判断する。印刷ジョブを受信した場合は、Ｓ２３０３に進み、印刷ジョブを受信しなかった場合は、Ｓ２３０１に戻る。
【０１４５】
Ｓ２３０３では、ジョブ制御部１２０６は、受信した印刷ジョブの属性をチェックし、ジョブ印刷開始時スタックイジェクト、もしくはジョブ印刷完了後スタックイジェクトのいずれかが設定されているか否かを判断する。どちらも設定されていない場合は、Ｓ２３０４へ進み、ジョブ印刷開始時スタックイジェクト、もしくはジョブ印刷完了後スタックイジェクトのどちらかが設定されている場合は、Ｓ２３０５に進む。
Ｓ２３０４では、ジョブ制御部１２０６は受信したジョブを印刷し、処理を終了する。
【０１４６】
Ｓ２３０５では、ジョブ制御部１２０６は、ジョブ印刷開始時スタックイジェクトが指定されたか、ジョブ印刷完了後スタックイジェクトが指定されたかを判断する。ここで、ジョブ制御部１２０６がジョブ印刷前スタックイジェクトが指定されたと判断した場合は、Ｓ２３０６に進み、ジョブ印刷後スタックイジェクトが指定されたとジョブ制御部１２０６が判断した場合は、Ｓ２３１９に進む。
【０１４７】
まず、Ｓ２３０６〜Ｓ２３１８について説明を行う。Ｓ２３０６〜Ｓ２３１８は、ジョブ印刷開始時スタックイジェクトが指定された場合である。Ｓ２３０６〜Ｓ２３１８の説明においては、Ｊｏｂ２にジョブ印刷開始時スタックイジェクトが指定されたとして説明を行う。
【０１４８】
Ｓ２３０６では、ジョブ制御部１２０６は、先行ジョブが印刷完了したか否かを判定する。具体的には、Ｊｏｂ１が印刷完了したか否かを判定する。Ｊｏｂ１が印刷完了していたと判断した場合は、Ｓ２３０７に進み、印刷が完了していないと判断した場合は、Ｊｏｂ１が印刷完了するまで、Ｓ２３０６の判断を繰り返す。
【０１４９】
Ｓ２３０７〜Ｓ２３０８は、ジョブ制御部１２０６が、イジェクトテーブル５０９にメディアが積載されているか否かを判断するループ処理である。イジェクトテーブル５０９にメディア積載されている状態では、物理的にスタックイジェクト処理を行うことが不可能であるため、ジョブ制御部１２０６は、この状態ではスタックイジェクト処理を行わない。本処理により、スタックイジェクト処理と給紙トレイのオープン処理を同時に実行することができるようになる。
【０１５０】
Ｓ２３０７では、ジョブ制御部１２０６は、スタッカ制御部７１０のイジェクトテーブル制御部９０８を制御することで、イジェクトテーブル５０９のメディア積載状態を取得する。そして、Ｓ２３０８にて、ジョブ制御部１２０６は、イジェクトテーブル８０９にメディアが積載されていない場合は、Ｓ２３０９へ進み、メディアが積載されている場合は、Ｓ２３０７へ戻る。
【０１５１】
Ｓ２３０９では、ジョブ制御部１２０６は、ジョブスケジューラからメディアの利用情報を取得するため、ＵＩ処理部１２０５から使用予定のメディア情報を取得する。第４実施形態の場合は、Ｊｏｂ２が「Ａ３普通紙」を使用するため、ジョブ制御部１２０６は、ＵＩ処理部１２０５から「Ａ３普通紙」が使用予定のメディアであると言う情報を取得する。
【０１５２】
次に、Ｓ２３１０では、ジョブ制御部１２０６は、メディア回収設定を「回収する」にしたメディア情報取得するため、ＵＩ処理部１２０５から、図１６のメディア回収設定画面で行った設定情報を取得する。第４実施形態の場合は、「Ａ４普通紙」に対して「回収する」設定にした前提であるため、「Ａ４普通紙」が取得される。
【０１５３】
次に、Ｓ２３１１では、ジョブ制御部１２０６は、Ｓ２３０９とＳ２３１０で取得されたメディアの情報を比較し、「回収する」と設定されたメディアが、ジョブスケジュール上使用予定が無いことを確認する。実施例４の場合は、「Ａ４普通紙」は「回収する」と設定されているが、使用予定が無いと言う状態である。
【０１５４】
次に、Ｓ２３１２では、ジョブ制御部１２０６は、Ｓ２３１０において、「回収する」と設定され、かつ、ジョブスケジュール上使用予定が無いメディアが、Ｓ２３０１にて取得した情報を利用して、リフトテーブル５０８に排紙されているか否かを判定する。もし、排紙されていなければ、Ｓ２３１７に進み、排紙されていれば、Ｓ２３１３に進む。
【０１５５】
Ｓ２３１３では、ジョブ制御部１２０６は、給紙トレイに登録されているメディア情報を取得するために、ＵＩ処理部１２０５から、給紙トレイボタン１３０５〜１３１０に登録されているメディア情報を取得する。この時、ＵＩ処理部１２０５は、ＣＰＵ回路部７０５を使って、ＨＤＤ  Ｉ／Ｆ部７１２を経由して、ＨＤＤ７１４から登録されているメディア情報を読みだす処理を行う。  本実施形態の場合は、図９のようにメディア情報が登録されている。そのため、ＵＩ処理部１２０５は、ジョブ制御部１２０６に対して、給紙トレイボタン１３０５〜１３１０は、「Ａ４普通紙」、給紙トレイボタン１３１１は「Ａ３普通紙」が登録されているという情報を返すことになる。つまり、第４実施形態の場合は、Ｓ２３１３において、ジョブ制御部１２０６は、「Ａ４普通紙」が入った給紙トレイは、給紙トレイボタン１３０５〜１３１０に対応する給紙トレイであると特定する。
【０１５６】
Ｓ２３１４では、ジョブ制御部１２０６は、ＵＩ処理部１２０５に対して、図１５に示す「給紙トレイオープン確認」画面を表示するように指示する。そして、オペレータが、実行するボタン１９０１を押下した場合は、ＵＩ処理部１２０５は、ジョブ制御部１２０６に対して、給紙トレイオープン要求を行う。また、オペレータが、実行しないボタン１９０２を押下した場合は、ＵＩ処理部１２０５は、ジョブ制御部１２０６に対して、給紙トレイ非オープン要求を行う。
【０１５７】
次に、Ｓ２３１５では、ジョブ制御部１２０６は、ＵＩ処理部１２０５から給紙トレイオープン要求を受信した場合は、Ｓ２３１６に進み、給紙トレイ非オープン要求を受信した場合は、Ｓ２３１７に進む。
【０１５８】
Ｓ２３１６では、ジョブ制御部１２０６は、給紙トレイボタン１３０５〜１３１０に対応する給紙トレイをオープンするために、機器制御部１２０１に対して、給紙トレイボタン１３０５〜１３１０に対応した給紙トレイのオープン要求を送信する。具体的には、ジョブ制御部１２０６は、外部給紙装置２０１の給紙トレイ３０１〜３０３、外部給紙装置２０２の給紙トレイ３０１〜３０３に対するオープン要求を、送信処理部１２０９を通じて、機器制御部１２０１に対して行う。
そして、機器制御部１２０１は、ＣＰＵ回路部７０５を使って給紙装置制御部７０９を制御することで、外部給紙装置２０１の給紙トレイ３０１〜３０３、外部給紙装置２０２の給紙トレイ３０１〜３０３に対する給紙トレイオープン処理を自動的に実施する。
【０１５９】
次に、Ｓ２３１７では、ジョブ制御部１２０６は、スタックイジェクトを実施するために、送信処理部１２０９を通じて、機器制御部１２０１に、スタックイジェクト要求を送信する。そして、機器制御部１２０１は、スタックイジェクト要求を受信すると、ＣＰＵ回路部７０５を使って、スタッカ制御部７１０を制御することで、大容量スタッカ２０４に対するスタックイジェクト処理を実施する。最後に、Ｓ２３１８では、ジョブ制御部１２０６は受信したジョブを印刷し、処理を終了する。
【０１６０】
以下は、Ｓ２３１９〜Ｓ２３３９について説明を行う。Ｓ２３１９〜Ｓ２３３９は、ジョブ印刷完了時スタックイジェクトが指定された場合である。Ｓ２３１９〜Ｓ２３３９の説明においては、Ｊｏｂ１にジョブ印刷完了時スタックイジェクトが指定されたとして説明を行う。Ｓ２３１９では、ジョブ制御部１２０６は、ＵＩ処理部１２０５に対して、図１８に示す「給紙トレイオープン選択」画面を表示するように指示し、Ｓ２３２０に進む。
Ｓ２３２０では、ジョブ制御部１２０６は、受信ジョブが印刷完了したか否かを判定する。具体的には、Ｊｏｂ１が印刷完了したか否かを判定する。Ｊｏｂ１が印刷完了していた場合は、Ｓ２３２１に進み、印刷が完了していない場合は、Ｊｏｂ１が印刷完了するまで、Ｓ２３２０の判断を繰り返す。
【０１６１】
Ｓ２３２１では、ジョブ制御部１２０６は、ＵＩ処理部１２０５から給紙トレイオープン要求、もしくは、給紙トレイ非オープン要求を受信していた場合は、Ｓ２３２８に進み、受信していない場合は、Ｓ２３２２に進む。
Ｓ２３２２〜Ｓ２３２４は、Ｓ２３０９〜Ｓ２３１１と同様の処理であるため説明を省略する。
【０１６２】
Ｓ２３２５では、ジョブ制御部１２０６は、回収すべきメディアがリフトテーブル５０８に積載されているか否かを判断する。積載されていると判断した場合は、Ｓ２３２６に進み、積載されていないと判断した場合は、Ｓ２３２７に進む。
【０１６３】
Ｓ２３２６では、ジョブ制御部１２０６は、オペレータが、実行するボタン２２０１を選択したとして、Ｓ２３２８に進む。また、Ｓ２３２７では、ジョブ制御部１２０６は、オペレータが、スタックイジェクトのみ実行ボタン２２０２を選択したとして、Ｓ２３２８に進む。Ｓ２３２５〜Ｓ２３２７の処理により、オペレータが選択しなくても、回収すべきメディアがリフトテーブル５０８に積載されている場合は、自動的に、回収すべきメディアが設定された給紙トレイを自動的にオープンすることが可能となる。
【０１６４】
Ｓ２３２８では、オペレータの選択結果、もしくは、ジョブ制御部１２０６による自動選択の結果により、ジョブ制御部１２０６が、実行するボタン２２０１を選択したと判断した場合は、Ｓ２３２９に進み、そうでない場合は、Ｓ２３３９に進む。
Ｓ２３２９〜Ｓ２３３９は、Ｓ２３０７〜Ｓ２３１８と同様の処理であるので説明は省略する。
【０１６５】
なお、本実施形態のＳ２３１６、およびＳ２３３８の処理について補足しておく。Ｓ２３１６およびＳ２３３８の処理は、第１実施形態のように、回収すべきメディアが入っている給紙トレイのみオープンしても良い。
【０１６６】
本実施形態によれば、印刷ジョブに、印刷成果物を回収する設定を付与することで、印刷ジョブのスケジュールを確認した上で、回収すべきメディアが入った給紙トレイをオープンすることができる。また、給紙トレイのメディア残量がゼロの場合の給紙トレイをオープンしないため、オペレータが無駄なメディア回収作業を行わなくて良いメリットがある。
【０１６７】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【０１６８】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【０１６９】
１０１  画像形成装置
１０２  情報処理装置
１０３  情報処理装置
１０４  ネットワーク
【図１】
2015212028.tif 000003
【図２】
2015212028.tif 000004
【図３】
2015212028.tif 000005
【図４】
2015212028.tif 000006
【図５】
2015212028.tif 000007
【図６】
2015212028.tif 000008
【図７】
2015212028.tif 000009
【図８】
2015212028.tif 000010
【図９】
2015212028.tif 000011
【図１０】
2015212028.tif 000012
【図１１】
2015212028.tif 000013
【図１２】
2015212028.tif 000014
【図１３】
2015212028.tif 000015
【図１４】
2015212028.tif 000016
【図１５】
2015212028.tif 000017
【図１６】
2015212028.tif 000018
【図１７】
2015212028.tif 000019
【図１８】
2015212028.tif 000020
【図１９Ａ】
2015212028.tif 000021
【図１９Ｂ】
2015212028.tif 000022
【図１９Ｃ】
2015212028.tif 000023